(57)【要約】      （修正有）【課題】非常に短い寸法となった鉛筆に装着した場合であっても、安定した筆記操作のために必要な軸寸法を確保しうる、筆記具ホルダー兼キャップを提供する。【解決手段】両端部に筆記具を挿入しうる開口部１４，１５を有する筒体１６に形成され、上記筒体の内周面部１７には、上記筒体１６の両端部から軸方向中央部に向かって、次第に幅が狭くなるテーパー部１９，２０が形成される。上記筒体１６は、筆記時に上記筒体１６の一端部を把持した場合に、他端部１２が手の甲から外方に突出しうる所定の軸寸法を有する。【選択図】図２
0003153201.tif 000002
【実用新案登録請求の範囲】
【請求項１】
両端部に筆記具を挿入しうる開口部を有する筒体に形成され、
上記筒体の内周面部に上記筒体の両端部から軸方向中央部に向かって、次第に幅が狭くなるテーパー部が形成された筆記具ホルダーであって、
上記筒体は、筆記時において上記筒体の一端部を把持した場合に、他端部が手の甲から外方に突出しうる所定の軸寸法を有することを特徴とする筆記具ホルダー兼キャップ。
【請求項２】
上記筒体の開口部に、筆記具の先端部を挿入した場合には、筆記具キャップとして機能することを特徴とする請求項１記載の筆記具ホルダー兼キャップ。
【請求項３】
上記筒体は円筒体に形成されていることを特徴とする請求項１又は２のいずれか１項に記載の筆記具ホルダー兼キャップ。
【考案の詳細な説明】
【技術分野】
【０００１】
本考案は、鉛筆等、使用によって短寸となった筆記具に装着され、上記筆記具の軸寸法を延伸し、筆記具として再度使用可能な状態にすると共に、上記筆記具の先端部を保護しうるキャップとしても機能しうる筆記具ホルダー兼キャップに関する。
【背景技術】
【０００２】
図３に示すように、鉛筆若しくは色鉛筆等の筆記具３０は、芯３１の消費に伴い、削って使用するため、次第にその軸寸法が短くなる。
上記筆記具３０の先端部側３２を親指３３と人指し指３４で把持して筆記操作を行う場合、安定して把持する為には、上記筆記具３０が、図３の点線部Ｃに示すように、少なくとも上記筆記具３０の基端部３６が上記人指し指３４の付け根位置３５よりも手３７の甲側外方に突出して配置される軸寸法を有し、上記人差し指３４の付け根位置３５において、上記筆記具３０を支持しうるようにする必要がある。
従って、筆記具３０の軸寸法が十分に確保できなくなった場合、上記筆記具３０を単体で使用し難くなり、結果そのまま廃棄されてしまうことが多かった。
【０００３】
一方、短くなった鉛筆を有効に再利用するため、金属製もしくは樹脂製の円筒体に形成され、上記円筒体の一端部に設けられた開口部に上記鉛筆の基端部を挿入し、螺子部材等によって締め付け固定することによって、上記鉛筆の軸寸法を延伸する鉛筆ホルダーが従来から流通している。
【０００４】
しかしながら、上記鉛筆ホルダーは、鉛筆の基端部を上記円筒体の上記開口部から挿入し、螺子等の締め付け部材を用いて固定する必要があることから、装着操作及び取外し操作が非常に面倒であった。
また、鉛筆を保管する場合には、別途鉛筆キャップを準備して装着する必要
があった。
【０００５】
上記不具合を解決する為、図４に示すように両端部４１、４２に鉛筆４３を挿入しうる開口部４４、４５を有する円筒体４６に形成され、上記円筒体４６の内周面部４７に上記円筒体４６の両端部４１、４２から軸方向中央部４８に向かって、次第に細径となるテーパー部４９、５０を備えた鉛筆キャップ兼ホルダー４０が提案されている（特許文献１）。
図４に示すように、上記特許文献１に係る鉛筆キャップ兼ホルダー４０は、鉛筆キャップとして機能する他、上記開口部４４または４５から鉛筆４３の基端部５２を挿入した場合、内周面部４７にテーパー部４９、５０を有することから、上記内周面部４７が上記鉛筆４３の外周面部５１に圧接して固定され、別途螺子部材等で固定しなくても、鉛筆ホルダーとしても機能しうる。
しかしながら、上記特許文献１においては、上記円筒体４６の軸寸法についての具体的に言及は無い。
従って、非常に短寸となった鉛筆を上記円筒体４６の一端部４１の開口部４４に挿入した場合には、安定した筆記操作が可能となる軸寸法を確保できない虞があった。
【特許文献１】実開昭５２−９１２３０号
【考案の開示】
【考案が解決しようとする課題】
【０００６】
本考案の解決する課題は、非常に短い寸法となった鉛筆に装着した場合であっても、安定した筆記操作のために必要な軸寸法を確保しうる、筆記具ホルダー兼キャップを提供することにある。
【課題を解決するための手段】
【０００７】
上記課題を解決するために、請求項１の考案にかかる筆記具ホルダー兼用キャップは、両端部に筆記具を挿入しうる開口部を有する筒体に形成され、上記筒体の内周面部には、上記筒体の両端部から軸方向中央部に向かって、次第に幅が狭くなるテーパー部が形成された筆記具ホルダーであって、上記筒体は、筆記時に上記筒体の一端部を把持した場合に、他端部が手の甲から外方に突出しうる所定の軸寸法を有することを特徴とする。
【０００８】
従って、非常に短くなった鉛筆に装着した場合であっても、上記筒体単独で、安定した筆記に必要な軸寸法を確保しうる。
【０００９】
また、請求項２の考案にかかる筆記具ホルダー兼用キャップは、上記筒体の開口部に、筆記具の先端部を挿入した場合には、筆記具キャップとして機能することを特徴とする。
従って、請求項１の作用に加え、両端の開口部に筆記具の先端部を挿入することで２本分の筆記具キャップとして機能する。
【００１０】
また、請求項３の考案に係る筆記具ホルダーは、上記筒体は円筒体に形成されていることを特徴とする。
【考案の効果】
【００１１】
請求項１の考案においては、筒体は、筆記時に上記筒体の一端部を把持した場合に、他端部が手の甲から外方に突出しうる所定の軸寸法を有することによって、非常に短い寸法となった鉛筆に装着した場合であっても、安定した筆記操作を行う為に必要な軸寸法を確保しうる筆記具ホルダー兼キャップを提供することが可能となる。
また、請求項２の考案にあっては、両端の開口部に筆記具の先端部を挿入することで２本分の筆記具キャップとして機能するため別途鉛筆キャップを準備する必要がない。
更に、請求項３の考案にあっては、筒体が円筒体であることから、指に角部が当たることが無く、長時間に亘って筆記操作を行った場合であっても、指等に圧痛を生じさせ難い。
【図面の簡単な説明】
【００１２】
【図１】本考案の一実施の形態を示し、実施例の形態において鉛筆を装着して手で把持した状態を示す斜視図である。
【図２】本考案の一実施の形態を示し、実施例の形態において鉛筆ホルダー兼キャップの軸方向断面図である。
【図３】筆記具を把持して筆記操作を行う状態を示す斜視図である。
【図４】従来の鉛筆ホルダー兼キャップの軸方向断面図である。
【考案を実施するための最良の形態】
【００１３】
本考案を実施する為の形態について、筆記具が鉛筆である場合を例として、以下図面を用いて説明する。
図１及び図２に示すように、実施例に係る筆記具ホルダー兼用キャップ１０は、両端部１１、１２に鉛筆１３を挿入しうる開口部１４、１５を有する円筒体の筒体１６に形成され、上記筒体１６の内周面部１７には、上記筒体１６の両端部１１、１２から軸方向中央部１８に向かって、次第に細径となるテーパー部１９、２０が形成され、上記筒体１６は、筆記時に上記筒体１６の一端部１１を把持した場合に、人指し指２１の付け根位置２２よりも手２７の甲側外方に突出しうる所定の軸寸法Ｌが確保されている。
【実施例】
【００１４】
以下に、図面を用いて本実施例について詳細を説明する。
図１は、本考案に係る筆記具ホルダー兼キャップ１０に鉛筆１３の基端部２３を挿入した状態を示す斜視図である。
また、図２は、本考案に係る筆記具ホルダー兼キャップ１０の軸方向断面図である。
【００１５】
図２に示すように、筆記具ホルダーとして使用する場合は、鉛筆１３の基端部２３を図中矢印Ａの方向から挿入すると、上記筒体１６のテーパー部によって、上記筒体１６の内周面部１７が次第に上記鉛筆１３の外周面部２４に強く圧接し、上記鉛筆１３が上記筒体１６に固定される。
【００１６】
上記筒体１６の軸寸法Ｌは、図１に示すように、上記筒体１６の一端部１１を親指２５と人差し指２１で把持した場合に、人指し指２１の付け根位置２２よりも手２７の甲側外方に突出しうるだけの寸法に形成されている。
本実施例においては、上記寸法Ｌは９ｃｍに形成されている。
なお、筆記具ケース（図示せず）等への収納及び筆記時のバランスを考慮し、鉛筆を装着した状態で、新品の鉛筆の長さ寸法である１７〜１８ｃｍ以下であることが望ましい。
但し、使用対象者が幼児等である場合は、手の大きさに合わせ適宜調整しうるものである。
本実施例においては、軸寸法Ｌが９ｃｍに形成されていることから、鉛筆１３の軸寸法が非常に短い場合であっても、安定した筆記操作が可能となると共に、両端部１１、１２に異なる色の鉛筆を装着することによって、２本分の鉛筆と同等の機能を発揮することが可能となる。
【００１７】
また、図２に示すように、鉛筆キャップとして使用する場合は、図中矢印Ｂの方向から鉛筆１３の先端部２６を挿入することによって、上記筒体１６のテーパー部２０によって、上記筒体１６の内周面部１７が次第に上記鉛筆１３の外周面部２４に強く圧接し、上記鉛筆１３が上記筒体１６に固定される。
従って、別途鉛筆キャップを準備する必要が無く、また一度に２本の鉛筆を収納可能であるため、筆記具ケース等によりコンパクトに収納することが可能となる。
【００１８】
なお、本実施例においては、筒体１６の径寸法については特に言及していないが、所定の軸寸法Ｌが確保されていれば、装着する筆記具の種類によって、上記径寸法は適宜変更しうるものである。
また、上記筒体は円筒体の他、四角柱、六角柱等の多角柱形状とすることも可能である。
上記筒体を多角柱に形成した場合は、上記筒体を載置した場合に転がりを防止する効果を奏する。
【産業上の利用可能性】
【００１９】
本考案は、鉛筆等、使用によって短寸となった筆記具に装着され、上記筆記具の軸寸法を延伸し、筆記具として再度使用可能な状態にすると共に、上記筆記具のキャップとしても機能しうる筆記具ホルダー兼キャップに適用することが可能である。
【符号の説明】
【００２０】
１０  筆記具ホルダー兼キャップ
１１  筒体一端部
１２  筒体他端部
１３  鉛筆
１４  筒体の開口部
１５  筒体の開口部
１６  筒体
１７  筒体の内周面部
１８  筒体の軸方向中央部
１９  テーパー部
２０  テーパー部
２１  人差し指
２２  人差し指の付け根位置
２３  鉛筆の基端部
２４  鉛筆の外周面部
２５  親指
２６  鉛筆の先端部
２７  手
３０  筆記具
３１  筆記具の芯
３２  筆記具の先端部
３３  親指
３４  人差し指
３５  人差し指の付け根位置
３６  鉛筆の基端部
３７  手
４０  筆記具キャップ兼ホルダー
４１  円筒体一端部
４２  円筒体他端部
４３  鉛筆  
４４  円筒体開口部
４５  円筒体開口部
４６  円筒体
４７  円筒体内周面部
４８  円筒体軸方向中央部
４９  テーパー部
５０  テーパー部
５１  鉛筆の外周面部
５２  鉛筆の基端部
Ｌ  筒体の軸寸法
【図１】
0003153201.tif 000003
【図２】
0003153201.tif 000004
【図３】
0003153201.tif 000005
【図４】
0003153201.tif 000006